(57)【要約】【課題】この発明は金属製のキャッチとシリコンゴム製キャッチの各々の欠点を改善したものであり、新規なピアス用キャッチを提供することを目的とする。【解決手段】ピアス用ピンの挿通孔を設けた基板と、該基板から外向きに延長され、上記挿通孔に挿通されるピアス用ピンを挟着する少なくとも一対の金属製弾性片と、該一対の金属製弾性片を収納保持するシリコン弾性体とで構成されたピアス用キャッチであって、シリコン弾性体の内部において上記一対の金属製弾性片が、ピアス用ピンの軸心に向かって円弧状に折り曲げられて、一旦接近した上で離れる方向に延長され、その後先端部分において反転した上、上記軸心部分を通過した位置において円弧状断面に形成されて、上記軸心部分に挿通されるピアス用ピンを挟着するようにしたことを特徴とするピアス用キャッチ。【選択図】  図３
2008017882.tif 000002
【特許請求の範囲】
【請求項１】
ピアス用ピンの挿通孔を設けた基板と、該基板から外向きに延長され、上記挿通孔に挿通されるピアス用ピンを挟着する少なくとも一対の金属製弾性片と、該一対の金属製弾性片を収納保持するシリコン弾性体とで構成されたピアス用キャッチであって、シリコン弾性体の内部において上記一対の金属製弾性片が、ピアス用ピンの軸心に向かって円弧状に折り曲げられて、一旦接近した上で離れる方向に延長され、その後先端部分において反転した上、上記軸心部分を通過した位置において円弧状断面に形成されて、上記軸心部分に挿通されるピアス用ピンを挟着するようにしたことを特徴とするピアス用キャッチ。
【請求項２】
シリコン弾性体は、容器状外延フレーム内に収納されていることを特徴とする請求項１に記載のピアス用キャッチ。
【請求項３】
上記一対の金属製弾性片が、ピアス用ピンの軸心の長さ方向にずれた位置において平行に、かつ軸心に向かって円弧状に折り曲げられて、一旦接近した上で離れる方向に延長されていることを特徴とする請求項１または２に記載のピアス用キャッチ。
【発明の詳細な説明】
【技術分野】
【０００１】
この発明はピアス用キャッチに関するものである。
【背景技術】
【０００２】
ピアス用キャッチの一般的なものとして、貴金属製で正面基板とこの両端部からのびる湾曲片とからなる形状のものがあり、正面基板の中心にピン孔が形成され、挿入されるピアス用ピンは湾曲片によって挟持される構造となっている。
このキャッチはピアス用ピンの挟持力は強いが、ピアス用ピンに形成した凹部と湾曲片との位置関係がずれると挟着力はごく弱いものとなってしまう。また、ピアス用ピンとキャッチはいずれも貴金属製であるため着用者によっては接触感に違和感がある場合がある。
【０００３】
この欠点を解消するため、シリコンゴム製のピアス用キャッチが各種提案されている。このシリコンゴム製のキャッチは全体が柔らかで、ピアス用ピンの外周全体にシリコンゴムが接触するため、その挟持力もあるが前記の金属製のキャッチほど強力なものではない。
【特許文献１】特にありません
【発明の開示】
【発明が解決しようとする課題】
【０００４】
この発明は金属製のキャッチとシリコンゴム製キャッチの各々の欠点を改善したものであり、新規なピアス用キャッチを提供することを目的とする。
【課題を解決するための手段】
【０００５】
そのためこの発明のピアス用キャッチは、ピアス用ピンの挿通孔を設けた基板と、該基板から外向きに延長され、上記挿通孔に挿通されるピアス用ピンを挟着する少なくとも一対の金属製弾性片と、該一対の金属製弾性片を収納保持するシリコン弾性体とで構成されたピアス用キャッチであって、シリコン弾性体の内部において上記一対の金属製弾性片が、ピアス用ピンの軸心に向かって円弧状に折り曲げられて、一旦接近した上で離れる方向に延長され、その後先端部分において反転した上、上記軸心部分を通過した位置において円弧状断面に形成されて、上記軸心部分に挿通されるピアス用ピンを挟着するようにしたことを特徴とするものである。
【０００６】
この発明のピアス用キャッチは、シリコン弾性体は、容器状外延フレーム内に収納されていることをも特徴とするものである。
【０００７】
この発明のピアス用キャッチは、上記一対の金属製弾性片が、ピアス用ピンの軸心の長さ方向にずれた位置において平行に、かつ軸心に向かって円弧状に折り曲げられて、一旦接近した上で離れる方向に延長されていることをも特徴とするものである。
【発明の効果】
【０００８】
この発明は、金属製キャッチとシリコンゴム製キャッチの特徴を生かしつつ、更に違和感の少ない優れたキャッチを提供できたものである。
すなわち、ピアス用ピンを挟着する一対の金属製弾性片が、少なくとも２か所においてピアス用ピンを挟着するとともに、ピアス用ピンが最初の挟着部分に挿通されることによって次の挟着部分の挟着力がより強くなるようにし、しかも一対の金属製弾性片に対してシリコン弾性体が常にピアス用ピンを挟着する方向に付勢するため、ピアス用ピンをより確実に挟着することができるようになった。
さらに、使用者がシリコン弾性体に対するアレルギーを持っていたしても、この発明のピアス用キャッチは耳たぶに接する部位が金属製基板となっているため、そのような使用にも何らの問題もない。
【発明を実施するための最良の形態】
【０００９】
以下、この発明のピアス用キャッチの実施の形態を、図面に基いて詳細に説明する。
図１はこの発明のピアス用キャッチの１実施例を示す正面図、図２は使用状態における正面図、図３はその概略断面図、図４は基板および一対の金属製弾性片からなる挟着具の展開図、図５は挟着部分の詳細を示す拡大図である。
また図６はこの発明のピアス用キャッチの他の実施例を示す正面図、図７は使用状態における正面図、図８はその概略断面図である。
図９は第１実施例のシリコン弾性体を外延フレームに収納した実施例を示す断面図、図１０は第２実施例のシリコン弾性体を外延フレームに収納した実施例を示す断面図である。
【００１０】
図１ないし図３に示す実施例において、１１はシリコン弾性体であり、図では半球状の断面を備え、該シリコン弾性体１１の軸心部分にはピアス用ピン２１を挿通するピン孔１２が形成されている。またシリコン弾性体１１の平面部分には、ピアス用ピン２１の挿通孔２２を中央に形成した基板１３が露出した状態で取り付けられ、基板１３外周の相対向する位置にその端部を固着されて、ピアス用ピン２１を挟着する一対の金属製弾性片１４が取付けられている。
【００１１】
そして、上記一対の金属製弾性片１４は、ピアス用ピン２１の軸心１５に向かって円弧状に折り曲げられて第１の挟着部１６が形成されている。またこのように一旦接近した上で離れる方向に延長され、その後先端部分において反転する切返し部１７が形成してある。
その後、上記軸心１５部分を通過した位置において円弧状断面に形成し、これを、軸心１５部分に挿通されるピアス用ピン２１を挟着する第２の挟着部１８としたものである。このように、この実施例においてはピアス用ピン２１を少なくとも２箇所で挟着するようになっている。
【００１２】
したがって、ピアス用ピン２１が第１の挟着部１６を通過して外向きの力が作用すると、第２の挟着部１８には内向きの力が作用するので、ピアス用ピン２１は第１の挟着部１６のみならず第２の挟着部１８によってより確実に保持されるのである。
２１−２はピアス用ピン２１の先端に形成した周溝で、第２の挟着部１８はこの周溝２１−２にはまり合うようになっている。
また、上記一対の金属製弾性片１４はシリコン弾性体１１内に収納保持され、該シリコン弾性体１１によって常にピアス用ピン２１を挟着する方向に付勢されており、一対の金属製弾性片１４のいわゆるへたりが防止されて、ピアス用キャッチの耐久性が大幅に向上する。
【００１３】
また、シリコン弾性体１１に孔開けされたピン孔１２はシリコン弾性体１１の全体を貫通しており、上記第１および第２の挟着部１６，１８はこのピン孔１２の壁面から突き出た位置でピアス用のピン２１を保持するように構成されている。したがって、使用時にシリコン弾性体１１がピアス用ピン２１との接触で磨耗したり、削れて粉塵等が発生したりすることがない。
【００１４】
図４はこの実施例に示したピアス用キャッチの基板１１および一対の金属製弾性片１４の構成をしめすもので、板状素材のほぼ中央に円形の基板１１部分が採寸され、基板１３外周の相対向する位置を端部として、ピアス用ピン２１を挟着するための一対の金属製弾性片１４部分が外向きに延長されている。
そして一対の金属製弾性片１４部分の先端部分にはそれぞれ異なる側面を所定の長さだけ切欠き、切欠き部分の端部には内向きに自由端を備えた折返し片１９が形成されている。
上記一対の金属製弾性片１４は、図５のように、その先端の互いの切欠き部分が向き合うように組み付け、そしてその間に挿通されたピアス用ピン２１を、上記折返し片１９で構成される第２の挟着部１８によって保持するようにしたものである。
２０は、一対の金属製弾性片１４部分の適所に形成したピアス用ピン２１を導く、リブ状の挿通ガイドである。
【００１５】
この実施例に示したピアス用キャッチの使用に際しては、上記基板１３の挿通孔２２に、ピアス用ピン２１を差し込む。この時、ピアス用ピン２１は一対の金属製弾性片１４に形成された第１の挟着部１６により先ず挟着される。
その後さらに押し込まれたピアス用ピン２１は、一対の金属製弾性片１４の先端に形成された第２の挟着部１８によって再度挟着され、シリコン弾性体１１のピン孔１２から突き出るのである。このように、この実施例においてはピアス用ピン２１の長さ方向に沿って少なくとも２箇所で挟着するようになっている。
【００１６】
図６ないし図８に示す実施例において、３１はシリコン弾性体であり、図では半球状の断面を備え、該シリコン弾性体３１の軸心部分にはピアス用ピン２１を挿通するピン孔３２が形成されている。またシリコン弾性体３１の平面部分には、ピアス用ピン２１の挿通孔２３を中央に形成した基板３３が露出した状態で取り付けられ、基板３３外周の相対向する位置にその端部を固着されて、ピアス用ピン２１を挟着する一対の金属製弾性片３４が取付けられている。
【００１７】
そして、上記一対の金属製弾性片３４は、ピアス用ピン２１の軸心３５に向かって円弧状に折り曲げられて第１の挟着部３６が形成されている。またこのように一旦接近した上で離れる方向に延長され、その後先端部分において反転する切返し部３７が形成してある。
その後、上記軸心３５部分を通過した位置において円弧状断面に形成し、これを、軸心３５部分に挿通されるピアス用ピン２１を挟着する第２の挟着部３８としたものである。
その際、一対の金属製弾性片３４は第２の挟着部３８においてそれぞれ相手方と競合しないよう、軸心３５に沿って当接する位置をずらしてあるので、この実施例においてはピアス用ピン２１を少なくとも３箇所で挟着するようになっている。
【００１８】
したがって、ピアス用ピン２１が第１の挟着部３６を通過して外向きの力が作用すると、第２の挟着部３８には内向きの力が作用するので、ピアス用ピン２１は第１の挟着部３６のみならず第２の挟着部３８によってより確実に保持されるのである。
すなわち、第２の挟着部３８はピアス用ピン２１の周溝２１−２に２段階にはまり合うようになっている。
また、上記一対の金属製弾性片３４はシリコン弾性体３１内に収納保持され、該シリコン弾性体３１によって常にピアス用ピン２１を挟着する方向に付勢されており、一対の金属製弾性片３４のいわゆるへたりが防止されて、ピアス用キャッチの耐久性が大幅に向上する。
【００１９】
また、シリコン弾性体３１に孔開けされたピン孔３２はシリコン弾性体３１の全体を貫通しており、上記第１および第２の挟着部３６，３８はこのピン孔３２の壁面から突き出た位置でピアス用のピン２１を保持するように構成されている。したがって、使用時にシリコン弾性体３１がピアス用ピン２１との接触で磨耗したり、削れて粉塵等が発生したりすることがない。
【００２０】
この実施例に示したピアス用キャッチの使用に際しては、上記基板３３の挿通孔２３に、ピアス用ピン２１を差し込む。この時、ピアス用ピン２１は一対の金属製弾性片３４に形成された第１の挟着部３６により先ず挟着される。
その後さらに押し込まれたピアス用ピン２１は、一対の金属製弾性片３４の先端に形成された第２の挟着部３８によって再度挟着され、シリコン弾性体３１のピン孔１２から突き出るのである。
その際、一対の金属製弾性片３４は第２の挟着部３８においてそれぞれ相手方と競合しないよう軸心３４に沿って当接位置をずらしてあるので、この実施例においてはピアス用ピン２１の長さ方向に沿って少なくとも３箇所で挟着するようになっている。
【００２１】
図９および図１０はそれぞれ、第１および第２実施例のシリコン弾性体を外延フレームに収納した実施例を示すものである。
すなわち、シリコン弾性体１１，３１は容器状の外延フレーム４１に収納されている。したがって、使用時に一対の金属製弾性片１４，３４がピアス用ピン２１に押されて変形しても、外延フレーム４１に収納されたシリコン弾性体１１，３１が一対の金属製弾性片１４，３４を元の状態に復帰するよう付勢するので、ピアス用ピン２１は一対の金属製弾性片１４，３４によってより強固に保持されることとなる。
【産業上の利用可能性】
【００２２】
この発明は、金属製キャッチとゴム製キャッチの特徴を生かしつつ更に違和感の少ない優れたピアス用キャッチを提供するものである。
したがって、実施の形態において説明したピアス用キャッチとしてのみならず、ピン類を使用する装身具の止金具として、ピアスのみならず他の装身具にも応用できることはいうまでもない。
【図面の簡単な説明】
【００２３】
【図１】この発明のピアス用キャッチの１実施例を示す正面図である。
【図２】使用状態における正面図である。
【図３】その概略断面図である。
【図４】基板および一対の金属製弾性片からなる挟着具の展開図である。
【図５】挟着部分の詳細を示す拡大図である。
【図６】この発明のピアス用キャッチの他の実施例を示す正面図である。
【図７】使用状態における正面図である。
【図８】その概略断面図である。
【図９】第１実施例のシリコン弾性体を外延フレームに収納した実施例を示す断面図である。
【図１０】第２実施例のシリコン弾性体を外延フレームに収納した実施例を示す断面図である。
【符号の説明】
【００２４】
１１  シリコン弾性体
１２  ピン孔
１３  基板
１４  一対の金属製弾性片
１５  軸心
１６  第１の挟着部
１７  切返し部
１８  第２の挟着部
１９  折返し片
２０  挿通ガイド
２１  ピアス用ピン
２１−２  周溝
２２  挿通孔
２３  挿通孔
３１  シリコン弾性体
３２  ピン孔
３３  基板
３４  一対の金属製弾性片
３５  軸心
３６  第１の挟着部
３７  切返し部
３８  第２の挟着部
４１  外延フレーム
【図１】
2008017882.tif 000003
【図２】
2008017882.tif 000004
【図３】
2008017882.tif 000005
【図４】
2008017882.tif 000006
【図５】
2008017882.tif 000007
【図６】
2008017882.tif 000008
【図７】
2008017882.tif 000009
【図８】
2008017882.tif 000010
【図９】
2008017882.tif 000011
【図１０】
2008017882.tif 000012